(57)【要約】      （修正有）【課題】特別な警報装置等を併用することなく、作業者及び作業確認者に電力設備の状態を確実に知らせることのできる検電器を提供する。【解決手段】上端部に検知子４、下端部に操作棒取付部２を有する本体装置１を備え、本体装置１は、その中央部の筐体部分に検電対象が充電状態であることを知らせる作業者用発光部５、監視者用発光部６及び発音部７、作業者用発光部５、監視者用発光部６及び発音部７の作動をチェックするテスト釦８を備え、監視者用発光部６は、本体装置１の背面側中央に突出して設置されているカバー体９の内側に９個の砲弾型白色ＬＥＤランプが放射状に配置してある検電器。【選択図】図１
2018017686.tif 000002
【特許請求の範囲】
【請求項１】
作業者及び監視者に検電状態を知らせるための検電器であって、
検電対象に接触させる検知子、作業者に検電対象が充電状態であることを知らせる作業者用発光部、監視者に検電対象が充電状態であることを知らせる監視者用発光部並びに前記検知子を接触させた検電対象が充電状態であるか否かを判定し、充電状態である場合に前記作業者用発光部及び前記監視者用発光部を点灯又は点滅させる判定手段を有する本体装置を備え、
前記監視者用発光部は、透明部材又は散光部材からなり前記本体装置に突出して設置されるカバー体と、該カバー体の内側に配置される発光体を有している
ことを特徴とする検電器。
【請求項２】
前記作業者用発光部は、前記本体装置の正面側に設置され、
前記監視者用発光部は、前記本体装置の背面側に設置されている
ことを特徴とする請求項１に記載の検電器。
【請求項３】
前記本体装置は、作業者及び監視者に検電対象が充電状態であることを知らせる発音部を有している
ことを特徴とする請求項１又は２に記載の検電器。
【発明の詳細な説明】
【技術分野】
【０００１】
本発明は、作業者及び監視者に検電状態を知らせることのできる検電器に関する。
【背景技術】
【０００２】
電力設備が充電状態であるか、停電状態であるかを確認するため、電力設備の所定の部位が帯電しているか否かを検知する検知子を有する検電器が用いられている。
そして、作業者が検知子を電力設備の所定の部位に接触させると、接触した対象の電圧に応じて検電器に備えられた発光体やスピーカーが光ったり音を発したりすることで、作業者が電力設備の状態を確認できるようになっている。
また、作業者が光や音に気づかない場合に備えて、監視者に発光体やスピーカーが作動していることを適宜の手段で知らせることにより、作業者の安全を図っている。
例えば、特許文献１（実公昭４６−２５４３５号公報）には、絶縁棒(1)の上端に自在関節(2)を介して絶縁桿(3)を取付け、その上端に取付けた金属製鉤(4)と下部金属体(5)とをネオンランプ(8)の両電極へ接続した高圧検電器であって、下面に開口部(6)を有するケース(7)にネオンランプ(8)を収めたものが記載されている。
しかし、この高圧検電器では、ネオンランプ(8)の光をケース(7)の下面側かつ開口部(6)の延長線上において確認する必要があり、作業者しか確認できなかった。
【０００３】
そこで、特許文献２（特開２０１２−８６２７号公報）に記載されるように、検電器(10)からの警報音の発生を検知する受信センサ(28)及び作業用バケット(26)の下方から視認可能な箇所に取り付けた発光体(30)等を備え、検電器(10)から警報が継続的に発せられると、これに合わせて発光体(30)が断続的に発光することにより、下方で監視している作業監視者が、検電器(10)と充電部(A)との接近を容易に確認できるようにした警報装置が提案されている。
【先行技術文献】
【特許文献】
【０００４】
【特許文献１】実公昭４６−２５４３５号公報
【特許文献２】特開２０１２−８６２７号公報
【発明の概要】
【発明が解決しようとする課題】
【０００５】
しかし、特許文献２に記載されている警報装置は、受信センサ(28)や発光体(30)等を作業用バケット(26)に設ける必要があるため、装置自体が大きい上に警報装置の近くで検電器(10)を利用しなければならないといった問題があった。
本発明の課題は、このような問題を解決し、特別な警報装置等を併用することなく、作業者及び監視者に電力設備の状態を確実に知らせることのできる検電器を提供することである。
【課題を解決するための手段】
【０００６】
請求項１に係る発明は、作業者及び監視者に検電状態を知らせるための検電器であって、
検電対象に接触させる検知子、作業者に検電対象が充電状態であることを知らせる作業者用発光部、監視者に検電対象が充電状態であることを知らせる監視者用発光部並びに前記検知子を接触させた検電対象が充電状態であるか否かを判定し、充電状態である場合に前記作業者用発光部及び前記監視者用発光部を点灯又は点滅させる判定手段を有する本体装置を備え、
前記監視者用発光部は、透明部材又は散光部材からなり前記本体装置に突出して設置されるカバー体と、該カバー体の内側に配置される発光体を有していることを特徴とする。
【０００７】
請求項２に係る発明は、請求項１に記載の検電器において、前記作業者用発光部は、前記本体装置の正面側に設置され、前記監視者用発光部は、前記本体装置の背面側に設置されていることを特徴とする。
【０００８】
請求項３に係る発明は、請求項１又は２に記載の検電器において、前記本体装置は、作業者及び監視者に検電対象が充電状態であることを知らせる発音部を有していることを特徴とする。
【発明の効果】
【０００９】
請求項１に係る発明によれば、作業者用発光部及び監視者用発光部を有し、検電対象が充電状態である場合に作業者用発光部及び監視者用発光部を点灯又は点滅させるようになっているので、作業者は主に作業者用発光部の点灯又は点滅により検電対象が充電状態にあることを確認でき、監視者は検電器自体が有する監視者用発光部の点灯又は点滅により検電対象が充電状態にあることを確認できる。
さらに、監視者用発光部は、透明部材又は散光部材からなり本体装置に突出して設置されるカバー体と、カバー体の内側に配置される発光体を有しているので、発光体の点灯又は点滅を確認できる範囲が広くなり、監視者用発光部の視認性を高めることができる。
【００１０】
請求項２に係る発明によれば、請求項１に係る発明による効果に加えて、作業者用発光部は本体装置の正面側に設置され、監視者用発光部は本体装置の背面側に設置されているので、監視者用発光部が作業者によって遮られる範囲がなくなり、監視者用発光部の視認性をさらに高めることができる。
【００１１】
請求項３に係る発明によれば、請求項１又は２に係る発明による効果に加えて、検電対象が充電状態であることを知らせる発音部も有しているので、作業者及び監視者は、さらに確実に検電対象が充電状態にあることを確認することができる。
【図面の簡単な説明】
【００１２】
【図１】検電器の側面図。
【図２】検電器の正面図。
【図３】検電器を使用している状態の正面側斜視図。
【図４】検電器を使用している状態の背面側斜視図。
【図５】監視者用発光部が備える砲弾型白色ＬＥＤランプの平面図。
【発明を実施するための形態】
【００１３】
以下、実施例によって本発明の実施形態を説明する。
【実施例】
【００１４】
実施例の検電器の側面図と正面図を図１と図２に、同検電器を使用している状態の正面側斜視図と背面側斜視図を図３と図４に示す。
実施例の検電器は、図１、２に示す本体装置１を主要な構成とし、使用に当たっては、図３、４に示す様に本体装置１の下端部に設けてある操作棒取付部２に、使用状況に応じて適当な長さの操作棒３を取り付け、本体装置１の上端部に設けてある検知子４を検電対象（図３、４では電線）に接触させる。
【００１５】
本体装置１は、側面が図１に示す形状、正面が図２に示す形状となっており、全体の長さは約３７ｃｍ（長さ約６．５ｃｍの操作棒取付部２及び長さ約１４．１ｃｍの検知子４を含む）、側面の最も広い箇所は約６．８ｃｍ、正面の中央部の幅は約５ｃｍである。
そして、本体装置１は、その中央部の絶縁性樹脂等でなる筐体部分に、検電対象が充電状態であることを知らせる作業者用発光部５及び監視者用発光部６、検電対象が充電状態であることを知らせる発音部７、並びに作業者用発光部５、監視者用発光部６及び発音部７の作動をチェックするテスト釦８を備えている。
さらに、図示はしないが、筐体部分の内部には、検知子４を接触させた検電対象が充電状態であるか否かを判定し、充電状態である場合に作業者用発光部５及び監視者用発光部６を点灯又は点滅させるとともに発音部７から警告音を発生させる判定手段、並びに判定手段、作業者用発光部５、監視者用発光部６及び発音部７を動作させるための電源（交換式の乾電池又は充電式のバッテリー）が設けてある。
【００１６】
検知子４は、良導体からなっており、根元部分は判定手段と電気的に接続され、先端付近は検電対象に引掛け易くするために鉤状となっている。
また、その先端部は検電対象との接触をスムーズにするため、外側へ円弧状に曲げてある。
【００１７】
作業者用発光部５は、作業者及び監視者がその発光を確認し易くするため、本体装置１の正面側中央の斜面部に設けてある透孔の内側に、発光色が赤又は白のＬＥＤを配置してある。
また、監視者用発光部６は、検電器の本体装置１から離れたところにいる監視者がその発光を確認し易くするため、本体装置１の背面側中央に突出して設置されているカバー体９の内側に９個の砲弾型白色ＬＥＤランプ１０を図５のように配置してある。
【００１８】
カバー体９は、透明部材又は散光部材（例えば、透明樹脂又は半透明白色樹脂）を半円筒状に成形したものであり、図５に示すように、砲弾型白色ＬＥＤランプ１０の発光を広い範囲で視認できるようにするため、７個の砲弾型白色ＬＥＤランプ１０を放射状に配置するとともに、２個の砲弾型白色ＬＥＤランプ１０を下方に向けて配置してある。
なお、砲弾型白色ＬＥＤランプ１０の光量は、６２，０００ルクスの条件下で本体装置１から３０ｍ離れた箇所において、直接発光が見えるように選択されている。
【００１９】
発音部７は、作業者及び監視者がその警告音を聞き取り易くするため、本体装置１の背面側中央に設けてある透孔の内側に設けてある。
発音部７を本体装置１の背面側に設けた理由は、作業者の反対側に向けて放音した方が、遠くに位置している監視者に警告音が届き易いからである。
また、発音部用の透孔には、筐体内部に異物等が入りにくくするため、図４に示すように網状のネットを装着してある。
なお、発音部７の音量は、周囲騒音が７５ｄｂの条件下で本体装置１から３０ｍ離れた箇所において、直接警告音が聞こえるように選択されている。
【００２０】
検電対象が充電状態であるか否かを確認するに際して、実施例の検電器を使用する手順は次のとおりである。
（１）作業者は検電器の本体装置１の正面側にあるテスト釦８を押す。
すると、テスト釦８を押している間、作業者用発光部５、監視者用発光部６及び発音部７が作動する。
なお、テスト釦８を押しても作業者用発光部５等が作動しない時は、電源が消耗しているか故障しているので、電池の交換若しくは充電又は検電器の修理を行う。
（２）作業者は本体装置１の筐体部分又は操作棒取付部２に取り付けた操作棒３を持ち、検知子４を検電対象の適宜の箇所に接触させる。
そして、検知子４を接触させた検電対象が充電状態であれば、作業者用発光部５及び監視者用発光部６が点灯又は点滅するとともに発音部７から警告音が発生する。
また、検知子４を接触させた検電対象が充電状態でなければ、作業者用発光部５等は作動しない。
（３）検電対象が充電状態であるか否かの確認が終了したら、検知子４を検電対象から外し、必要ならば他の検電対象が充電状態であるか否かの確認を行う。
【００２１】
実施例の変形例を列記する。
（１）実施例においては、作業者用発光部５を本体装置１の正面側中央の斜面部に設置し、監視者用発光部６を本体装置１の背面側中央に設置したが、設置位置はこれらの位置に限定されない。
要するに、作業者用発光部５は作業者から見え易い位置（通常は本体装置１の正面側）に配置し、監視者用発光部６は監視者から見え易い位置（通常は本体装置１の背面又は両側面側）に配置すれば良い。
（２）実施例においては、作業者用発光部５に発光色が赤又は白のＬＥＤを用い、監視者用発光部６に晴天時において最も見え易い砲弾型白色ＬＥＤランプ１０を用いたが、ＬＥＤに限らず発光体であれば何でも良く、発光色も視認性の良いものであれば特に限定されない。
また、実施例においては、砲弾型白色ＬＥＤランプ１０を放射状に配置したが、その理由は砲弾型白色ＬＥＤランプが指向性の強い光源であることによるから、光を放射状に出射できる発光体であればカバー体９のほぼ中央に配置すれば良く、面状発光体であればカバー体の内面に沿って配置すれば良い。
【００２２】
（３）実施例においては、本体装置１に作業者用発光部５、監視者用発光部６及び発音部７が設けてあるが、発音部７は設けなくても良い。
また、本体装置１に無線音声信号送信器を設け、送信された無線音声信号を受信器で受信して適宜の場所において警告音を聞くことができるようにしても良い。
この変形例は、作業する場所の周囲騒音が大きい場合、特に有効である。
（４）実施例においては、検知子４の先端付近は鉤状とし、さらに先端部は円弧状に曲げてあるが、検知子４の形状は単純な棒状、Ｌ字状、Ｕ字状等どのような形状でも良い。
【００２３】
（５）実施例においては、電源スイッチを設けず、常時検電できるようにしているが、電源の消耗を避けるために、テスト釦８を作業者用発光部５、監視者用発光部６及び発音部７の作動をチェックするだけでなく、電源スイッチとしても機能するものとしても良い。
そうした場合、例えば、テスト釦８を押してから数秒間、作業者用発光部５、監視者用発光部６及び発音部７を作動させた後に検電器を使用可能状態とし、使用後は数分間放置することで電源オフとなるようにすれば良い。
また、テスト釦８とは別に電源スイッチを設けても良い。
【符号の説明】
【００２４】
１  本体装置      ２  操作棒取付部      ３  操作棒      ４  検知子
５  作業者用発光部      ６  監視者用発光部      ７  発音部
８  テスト釦      ９  カバー体      １０  砲弾型白色ＬＥＤランプ
【図１】
2018017686.tif 000003
【図２】
2018017686.tif 000004
【図３】
2018017686.tif 000005
【図４】
2018017686.tif 000006
【図５】
2018017686.tif 000007
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
作業者及び監視者に検電状態を知らせるための検電器であって、
検電対象に接触させる検知子、作業者に検電対象が充電状態であることを知らせる作業者用発光部、監視者に検電対象が充電状態であることを知らせる監視者用発光部並びに前記検知子を接触させた検電対象が充電状態であるか否かを判定し、充電状態である場合に前記作業者用発光部及び前記監視者用発光部を点灯又は点滅させる判定手段を有する本体装置を備え、
前記作業者用発光部は、前記本体装置の正面側に設置され、
前記監視者用発光部は、透明部材又は散光部材からなり前記本体装置に突出して設置されるカバー体と、該カバー体の内側に配置される発光体を有しているとともに、前記本体装置の背面側に設置されている
ことを特徴とする検電器。
【請求項２】
前記本体装置は、作業者及び監視者に検電対象が充電状態であることを知らせる発音部を有している
ことを特徴とする請求項１に記載の検電器。
【手続補正２】
【補正対象書類名】明細書
【補正対象項目名】０００６
【補正方法】変更
【補正の内容】
【０００６】
請求項１に係る発明は、作業者及び監視者に検電状態を知らせるための検電器であって、
検電対象に接触させる検知子、作業者に検電対象が充電状態であることを知らせる作業者用発光部、監視者に検電対象が充電状態であることを知らせる監視者用発光部並びに前記検知子を接触させた検電対象が充電状態であるか否かを判定し、充電状態である場合に前記作業者用発光部及び前記監視者用発光部を点灯又は点滅させる判定手段を有する本体装置を備え、
前記作業者用発光部は、前記本体装置の正面側に設置され、
前記監視者用発光部は、透明部材又は散光部材からなり前記本体装置に突出して設置されるカバー体と、該カバー体の内側に配置される発光体を有しているとともに、前記本体装置の背面側に設置されていることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に係る発明は、請求項１に記載の検電器において、前記本体装置は、作業者及び監視者に検電対象が充電状態であることを知らせる発音部を有していることを特徴とする。
【手続補正５】
【補正対象書類名】明細書
【補正対象項目名】０００９
【補正方法】変更
【補正の内容】
【０００９】
請求項１に係る発明によれば、作業者用発光部及び監視者用発光部を有し、作業者用発光部は本体装置の正面側に設置され、監視者用発光部は本体装置の背面側に設置されており、検電対象が充電状態である場合に作業者用発光部及び監視者用発光部を点灯又は点滅させるようになっているので、作業者は主に作業者用発光部の点灯又は点滅により検電対象が充電状態にあることを確認でき、監視者は検電器自体が有する監視者用発光部の点灯又は点滅により検電対象が充電状態にあることを確認できる。
さらに、監視者用発光部は、透明部材又は散光部材からなり本体装置に突出して設置されるカバー体と、カバー体の内側に配置される発光体を有しているので、発光体の点灯又は点滅を確認できる範囲が広くなるとともに、監視者用発光部が作業者によって遮られる範囲がなくなり、監視者用発光部の視認性を高めることができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項２に係る発明によれば、請求項１に係る発明による効果に加えて、検電対象が充電状態であることを知らせる発音部も有しているので、作業者及び監視者は、さらに確実に検電対象が充電状態にあることを確認することができる。